(57)【要約】【課題】ユーザの手を煩わせることなく、記憶領域を最大限有効に活用する録画装置を提供することを目的とする。【解決手段】録画装置において、手動録画機能によって録画された番組の動画データを記憶する手動録画記憶領域と、自動録画機能によって録画された番組の動画データを記憶する自動録画記憶領域と、が割り当てられ、録画装置は、自動録画記憶領域に記憶された動画データのユーザによる利用状況を解析する利用状況解析部を備えることを特徴とする録画装置。【選択図】図２
2012085002.tif 000002
【特許請求の範囲】
【請求項１】
ユーザによって指定された番組を録画する手動録画機能と、ユーザの指定によらず番組を自動的に録画する自動録画機能と、を備える録画装置において、
前記録画装置は、前記録画された番組の動画データを記憶する記憶領域を備え、
前記記憶領域には、前記手動録画機能によって録画された番組の動画データを記憶する手動録画記憶領域と、前記自動録画機能によって録画された番組の動画データを記憶する自動録画記憶領域と、が割り当てられ、
前記録画装置は、前記自動録画記憶領域に記憶された動画データのユーザによる利用状況を解析する利用状況解析部を備えることを特徴とする録画装置。
【請求項２】
前記録画装置は、前記記憶領域の割り当てを変更する割当変更部を備え、
前記割当変更部は、前記利用状況解析部によって解析された前記利用状況に基づいて、前記自動録画記憶領域に記憶された動画データの利用が多いほど、前記自動録画記憶領域に割り当てられる容量が多くなるように、前記自動録画記憶領域に割り当てられる容量を変更することを特徴とする請求項１に記載の録画装置。
【請求項３】
前記利用状況解析部は、前記自動録画記憶領域に記憶された動画データが再生されたか否かを示す再生有無情報を、前記利用状況として解析し、
前記割当変更部は、前記再生有無情報に基づいて、前記再生された動画データの数が多いほど、前記自動録画記憶領域に割り当てられる容量が多くなるように、前記自動録画記憶領域に割り当てられる容量を変更することを特徴とする請求項２に記載の録画装置。
【請求項４】
前記利用状況解析部は、前記自動録画記憶領域に記憶された動画データが再生された回数を示す再生回数情報を、前記利用状況として解析し、
前記割当変更部は、前記再生回数情報に基づいて、前記自動録画記憶領域に記憶された動画データの再生回数が多いほど、前記自動録画記憶領域に割り当てられる容量が多くなるように、前記自動録画記憶領域に割り当てられる容量を変更することを特徴とする請求項２に記載の録画装置。
【請求項５】
前記利用状況解析部は、前記自動録画記憶領域に記憶された動画データが再生された時間を示す再生時間情報を、前記利用状況として解析し、
前記割当変更部は、前記再生時間情報に基づいて、前記自動録画記憶領域に記憶された動画データの再生時間が多いほど、前記自動録画記憶領域に割り当てられる容量が多くなるように、前記自動録画記憶領域に割り当てられる容量を変更することを特徴とする請求項２に記載の録画装置。
【請求項６】
前記利用状況解析部は、
前記自動録画記憶領域に記憶された動画データが再生された時間を示す再生時間を算出し、
前記算出した再生時間と前記自動録画記憶領域に記憶された動画データの録画時間と比率を示す再生率情報を、前記利用状況として解析し、
前記割当変更部は、前記再生率情報に基づいて、前記比率が多いほど、前記自動録画記憶領域に割り当てられる容量が多くなるように、前記自動録画記憶領域に割り当てられる容量を変更することを特徴とする請求項２に記載の録画装置。
【請求項７】
前記録画装置は、
前記自動録画記憶領域に記憶された動画データに基づいて、当該動画データの再生時間よりも再生時間が短いダイジェストデータを作成するダイジェスト作成部と、
前記ダイジェスト作成部によって作成されたダイジェストデータを外部記憶媒体にエクスポートするダイジェストエクスポート部と、を備え、
前記ダイジェスト作成部は、前記利用状況解析部によって解析された前記自動録画記憶領域に記憶された動画データの利用状況に基づいて、前記ダイジェストデータを作成することを特徴とする請求項１に記載の録画装置。
【請求項８】
前記利用状況解析部は、前記自動録画記憶領域に記憶された動画データがどこまで再生されたかを示す再生位置情報を、前記利用状況として解析し、
前記ダイジェスト作成部は、前記再生位置情報に基づいて、前記ダイジェストを作成する動画データの未だ再生されていない部分から前記ダイジェストを作成することを特徴とする請求項７に記載の録画装置。
【請求項９】
ユーザによって指定された番組を録画する手動録画機能と、ユーザの指定によらず番組を自動的に録画する自動録画機能と、を備える録画装置における録画方法において、
前記録画装置は、前記録画された番組の動画データを記憶する記憶領域を備え、
前記方法は、
前記記憶領域を、前記手動録画機能によって録画された番組の動画データを記憶する手動録画記憶領域と、前記自動録画機能によって録画された番組の動画データを記憶する自動録画記憶領域と、に割り当てるステップと、
前記自動録画記憶領域に記憶された動画データのユーザによる利用状況を解析する利用状況解析ステップと、を含むことを特徴とする録画方法。
【請求項１０】
前記方法は、前記記憶領域の割り当てを変更する割当変更ステップを含み、
前記割当変更ステップでは、前記利用状況解析部によって解析された前記利用状況に基づいて、前記自動録画記憶領域に記憶された動画データの利用が多いほど、前記自動録画記憶領域に割り当てられる容量が多くなるように、前記自動録画記憶領域に割り当てられる容量を変更することを特徴とする請求項９に記載の録画方法。
【請求項１１】
前記利用状況解析ステップでは、前記自動録画記憶領域に記憶された動画データが再生されたか否かを示す再生有無情報を、前記利用状況として解析し、
前記割当変更ステップでは、前記再生有無情報に基づいて、前記再生された動画データの数が多いほど、前記自動録画記憶領域に割り当てられる容量が多くなるように、前記自動録画記憶領域に割り当てられる容量を変更することを特徴とする請求項１０に記載の録画方法。
【請求項１２】
前記利用状況解析ステップでは、前記自動録画記憶領域に記憶された動画データが再生された回数を示す再生回数情報を、前記利用状況として解析し、
前記割当変更ステップでは、前記再生回数情報に基づいて、前記自動録画記憶領域に記憶された動画データの再生回数が多いほど、前記自動録画記憶領域に割り当てられる容量が多くなるように、前記自動録画記憶領域に割り当てられる容量を変更することを特徴とする請求項１０に記載の録画方法。
【請求項１３】
前記利用状況解析ステップでは、前記自動録画記憶領域に記憶された動画データが再生された時間を示す再生時間情報を、前記利用状況として解析し、
前記割当変更ステップでは、前記再生時間情報に基づいて、前記自動録画記憶領域に記憶された動画データの再生時間が多いほど、前記自動録画記憶領域に割り当てられる容量が多くなるように、前記自動録画記憶領域に割り当てられる容量を変更することを特徴とする請求項１０に記載の録画方法。
【請求項１４】
前記利用状況解析ステップでは、
前記自動録画記憶領域に記憶された動画データが再生された時間を示す再生時間を算出し、
前記算出した再生時間と前記自動録画記憶領域に記憶された動画データの録画時間と比率を示す再生率情報を、前記利用状況として解析し、
前記割当変更ステップでは、前記再生率情報に基づいて、前記比率が多いほど、前記自動録画記憶領域に割り当てられる容量が多くなるように、前記自動録画記憶領域に割り当てられる容量を変更することを特徴とする請求項１０に記載の録画方法。
【請求項１５】
前記方法は、
前記自動録画記憶領域に記憶された動画データに基づいて、当該動画データの再生時間よりも再生時間が短いダイジェストデータを作成するダイジェスト作成ステップと、
前記ダイジェスト作成部によって作成されたダイジェストデータを外部記憶媒体にエクスポートするダイジェストエクスポートステップと、を含み、
前記ダイジェスト作成ステップでは、前記利用状況解析ステップによって解析された前記自動録画記憶領域に記憶された動画データの利用状況に基づいて、前記ダイジェストデータを作成することを特徴とする請求項９に記載の録画方法。
【請求項１６】
前記利用状況解析ステップでは、前記自動録画記憶領域に記憶された動画データがどこまで再生されたかを示す再生位置情報を、前記利用状況として解析し、
前記ダイジェスト作成ステップでは、前記再生位置情報に基づいて、前記ダイジェストを作成する動画データの未だ再生されていない部分から前記ダイジェストを作成することを特徴とする請求項１５に記載の録画方法。
【請求項１７】
ユーザによって指定された番組を録画する手動録画機能と、ユーザの指定によらず番組を自動的に録画する自動録画機能と、を備える録画装置によって実行されるプログラムであって、
前記録画装置は、前記録画された番組の動画データを記憶する記憶領域を備え、
前記記憶領域には、前記手動録画機能によって録画された番組の動画データを記憶する手動録画記憶領域と、前記自動録画機能によって録画された番組の動画データを記憶する自動録画記憶領域と、が割り当てられ、
前記プログラムは、前記自動録画記憶領域に記憶された動画データのユーザによる利用状況を前記録画装置に解析させることを特徴とするプログラム。
【発明の詳細な説明】
【技術分野】
【０００１】
本発明は、番組を録画する録画装置に関し、特に、手動又は自動で番組を録画する録画装置に関する。
【背景技術】
【０００２】
近年、地上波デジタル放送、ＢＳ放送、及びＣＳ放送等の多チャンネル化に伴って、視聴可能な動画データが増加している。さらに、ハードディスク等の記録媒体が大容量化及び低価格化したこと、及び、動画データの圧縮技術が進化したこと等によって、ユーザが保有する録画装置（ハードディスクレコーダー、及びＴＶ内蔵型録画装置等）に多数かつ長時間の動画データが記憶可能となった。
【０００３】
このため、近年の録画装置は、ユーザが手動で指定した番組を録画する手動録画機能を備えるだけではなく、ユーザが嗜好に適合した番組を自動的に録画する自動録画機能を備える。
【０００４】
録画装置は、例えば、ユーザによって設定されたキーワードに関連する番組、並びにユーザの番組視聴履歴及び録画履歴等に基づいてユーザの嗜好に適合する番組を、自動的に録画する。このような自動録画機能を備える録画装置（以下、自動録画装置）が年々増加している。
【０００５】
自動録画装置は、ハードディスク等の記憶装置の記憶領域を、手動録画機能によって録画された録画データを記憶する手動録画記憶領域と、自動録画機能によって録画された録画データを記憶する自動録画記憶領域と、に割り当てる。
【０００６】
手動録画記憶領域及び自動録画記憶領域への記憶領域の割当方法として、手動録画記憶領域及び自動録画記憶領域へ割り当てる記憶領域が予め設定されている自動録画装置が知られている（例えば、特許文献１参照）。
【０００７】
また、手動録画記憶領域及び自動録画記憶領域への記憶領域の割り当てをユーザが手動で設定できる自動録画装置が知られている（例えば、特許文献２参照）。
【０００８】
また、手動録画記憶領域及び自動録画記憶領域へ割り当てる記憶領域が予め設定されており、手動録画機能によって番組を新たに録画する場合、手動録画記憶領域の容量が不足し、自動録画記憶領域の容量が余っていれば、自動録画記憶領域の容量を手動録画記憶量の容量に転用する自動録画装置が知られている（例えば、特許文献３参照）。
【先行技術文献】
【特許文献】
【０００９】
【特許文献１】特開２００９−１４１７５４号公報
【特許文献２】特開２００５−２８６８５７号公報
【特許文献３】特開２００５−３４６８２６号公報
【発明の概要】
【発明が解決しようとする課題】
【００１０】
上述した特許文献１〜３に開示された自動録画装置には、以下の問題点が存在する。
【００１１】
特許文献１に開示された自動録画装置は、予め設定された手動録画記憶領域及び自動録画記憶領域の割り当てを変更できない。このため、自動録画機能の使用頻度が少ないユーザにとっては、自動録画記憶領域に割り当てられた記憶領域は無駄となってしまう。つまり、自動録画記憶領域に割り当てられた記憶領域の分だけ、手動録画機能によって録画可能な時間が減ってしまう。
【００１２】
また、自動録画機能の使用頻度が多いユーザにとっては、自動録画記憶領域の記憶領域を増やすように変更できないので、設定された自動録画記憶領域の容量分しか自動録画機能によって番組を録画できない。
【００１３】
特許文献２に記載された自動録画装置はユーザが手動で手動録画記憶領域及び自動録画記憶領域の割り当てを変更するため、特許文献２に記載された自動録画装置にはユーザの手を煩わせるという課題がある。また、一般に、自動録画機能の使用頻度はユーザによって異なるため、自動録画記憶領域に割り当てる最適な記憶領域の容量を把握することはユーザにとって困難である。これらの問題点は、一部のユーザ層が自動録画機能を敬遠する一因となる。
【００１４】
また、同じユーザであっても時間経過によって自動録画機能の使用頻度は変化することが予想され、自動録画機能の使用頻度の変化に応じて、ユーザが自動録画記憶領域に割り当てる記憶領域の容量を変更し、自動録画記憶領域の容量と手動録画記憶領域の容量との差異的を図ることは、ユーザにとって面倒かつ困難であり、現実的でない。
【００１５】
特許文献３に記載された自動録画装置は、手動録画記憶領域の容量が増大する傾向にあり、自動録画記憶領域の容量を手動録画記憶領域として転用され続けてしまう固定化状態に陥りやすい。このような固定化状態に陥ってしまうと、特許文献３に記載された自動録画装置は、特許文献１及び２に記載された自動録画装置と比較したメリットがなくなってしまう。
【００１６】
本発明は、ユーザの手を煩わせることなく、記憶領域を最大限有効に活用する自動録画装置を提供することを目的とする。
【課題を解決するための手段】
【００１７】
本発明の代表的な一例を示せば、ユーザによって指定された番組を録画する手動録画機能と、ユーザの指定によらず番組を自動的に録画する自動録画機能と、を備える録画装置において、前記自動録画装置は、前記録画された番組の動画データを記憶する記憶領域を備え、前記記憶領域には、前記手動録画機能によって録画された番組の動画データを記憶する手動録画記憶領域と、前記自動録画機能によって録画された番組の動画データを記憶する自動録画記憶領域と、が割り当てられ、前記自動録画装置は、前記自動録画記憶領域に記憶された動画データのユーザによる利用状況を解析する利用状況解析部を備えることを特徴とする。
【発明の効果】
【００１８】
本発明によれば、ユーザの手を煩わせることなく、記憶領域を最大限有効に活用する自動録画装置を提供できる。
【図面の簡単な説明】
【００１９】
【図１】本発明の第１の実施形態の自動録画装置の構成を示すブロック図である。
【図２】本発明の第１の実施形態の変形例の自動録画装置の構成を示すブロック図である。
【図３】本発明の第１の実施形態の記憶部の記憶領域に記憶される動画データのデータ構造の説明図である。
【図４】本発明の第１の実施形態の記憶部割当情報保持部が保持する記憶部割当情報の説明図である。
【図５】本発明の第１の実施形態の記憶部使用情報保持部が保持する動画データ情報の説明図である。
【図６】本発明の第１の実施形態の記憶部使用情報保持部が保持する記憶使用情報の説明図である。
【図７】本発明の第１の実施形態の録画処理のフローチャートである。
【図８】本発明の第１の実施形態のユーザ利用情報収集部によって収集されるユーザ利用情報のデータ構造の説明図である。
【図９】本発明の第１の実施形態のユーザ利用情報蓄積部に蓄積されたユーザ利用情報テーブルの説明図である。
【図１０】本発明の第１の実施形態の記憶部割当情報決定部が保持する記憶部割当定義テーブルのデータ構造の一例を示す図である。
【図１１】本発明の第１の実施形態の割当変更処理のフローチャートである。
【図１２】本発明の第１の実施形態の変形例の割当変更処理のフローチャートである。
【図１３】本発明の第１の実施形態の変形例の割当変更処理のフローチャートである。
【図１４】本発明の第２の実施形態の自動録画装置の構成を示すブロック図である。
【図１５】本発明の第３の実施形態の自動録画装置の構成を示すブロック図である。
【図１６】本発明の第３の実施形態のダイジェストデータ作成処理のフローチャートである。
【発明を実施するための形態】
【００２０】
（第１の実施形態）
本発明の第１の実施形態を図１〜図１３を用いて説明する。
【００２１】
図１は、本発明の第１の実施形態の自動録画装置の構成を示すブロック図である。
【００２２】
自動録画装置は、ユーザ入力部１００、動画データ入力部１０１、録画制御部１０２、データ書込制御部１０３、記憶部割当情報保持部１０４、記憶部使用情報保持部１０５、記憶部１０６、再生制御部１０７、データ読出制御部１０８、動画データ出力部１０９、及びユーザ利用情報活用部１５０を備える。ユーザ利用情報活用部１５０は、ユーザ利用情報収集部１５１、ユーザ利用情報蓄積部１５２、及びユーザ利用情報解析部１５３を備える。
【００２３】
ユーザ入力部１００は、ユーザからの入力指示（例えば、録画する番組の指定等）を受け付ける。ユーザ入力部１００は、例えば、リモコン、自動録画装置本体に備わるスイッチ、キーボード、又はマウス等の入力デバイス等によって実現される。ユーザ入力部１００が受け付けた入力指示のうち録画に関する入力は録画制御部１０２に録画に関する制御信号として伝達され、再生に関する入力は再生制御部１０７に再生に関する制御信号として伝達される。
【００２４】
なお、ユーザ入力部１００は、録画に関する入力及び再生に関する入力の他にも、例えば、各種機器の設定に関する入力も受け付けるが、本実施形態では、自動録画装置の録画機能及び再生機能に関するものであるので、説明を省略する。
【００２５】
動画データ入力部１０１は、自動録画装置への動画データの入力を受け付ける。動画データ入力部１０１が受け付ける動画データは、例えば、チューナユニットを介して受信した放送波による動画データ、他の録画装置に録画された動画データ、及びインターネットを介して配信された動画データ等である。
【００２６】
録画制御部１０２は、ユーザの指定に基づいて番組を録画する手動録画機能、及び、ユーザの指定によらず番組を自動的に録画する自動録画機能の制御を司る。
【００２７】
録画制御部１０２は、ユーザ入力部１００から出力される録画に関する制御信号を受け付けた場合、受け付けた録画に関する制御信号を手動録画に関する制御信号としてデータ書込制御部１０３へ伝達し、手動録画機能によってユーザ入力部１００が受け付けた録画に関する入力によって指示された番組を録画するように制御する。
【００２８】
また、録画制御部１０２は、ユーザ入力部１００から出力された録画に関する制御信号を受け付けなくても、例えば、ユーザによって入力されたキーワードに関連する番組、並びに、ユーザの視聴履歴及び録画履歴に基づくユーザの嗜好に適合した番組の動画データを動画データ入力部１０１が受け付け可能である場合、当該番組録画するための自動録画に関する制御信号をデータ書込制御部１０３へ伝達する。
【００２９】
データ書込制御部１０３は、録画制御部１０２から手動録画に関する制御信号又は手動録画に関する制御信号（以下、総称して録画に関する制御信号という）を受け付け、当該録画に関する制御信号を受け付けた場合、動画データ入力部１０１から伝達される動画データを記憶部１０６に書き込む。
【００３０】
なお、記憶部１０６の記憶領域は、手動録画によって動画データが記憶される手動録画記憶領域と、自動録画によって動画データが記憶される自動録画記憶とに割り当てられている。
【００３１】
記憶部割当情報保持部１０４は、記憶部１０６の手動録画記憶領域と自動録画記憶領域との割当に関する情報を示す記憶部割当情報を保持する。より具体的には、記憶部割当情報は、記憶部１０６の記憶領域の全容量のうち、自動録画記憶領域に割り当てた容量と、手動録画記憶領域に割り当てた容量との比率を示す情報である。なお、記憶部割当情報保持部１０４が保持する記憶部割当情報は、図４で詳細を説明する。
【００３２】
また、記憶部使用情報保持部１０５は、記憶部１０６の記憶領域の全体容量、使用容量、及び空き容量に関する記憶部使用情報を保持する。なお、記憶部使用情報保持部１０５が保持する記憶部使用情報は、図６で詳細を説明する。また、記憶部使用情報保持部１０５は、記憶部１０６にどのような動画データが記憶されているかを示す動画データ情報も保持する。なお、記憶部使用情報保持部１０５が保持する動画データ情報は、図５で詳細を説明する。
【００３３】
記憶部割当情報保持部１０４及び記憶部使用情報保持部１０５は、レジスタ又はメモリによって実装できる。
【００３４】
データ書込制御部１０３は、動画データを記憶部１０６に書き込む場合、記憶部割当情報保持部１０４に保持された記憶部割当情報及び記憶部使用情報保持部１０５に保持された記憶部使用情報を読み出す。そして、データ書込制御部１０３は、読み出された情報に基づいて、動画データが記憶部１０６に書き込みできるか否かを判定する。
【００３５】
動画データが記憶部１０６に書き込みできないと判定された場合、データ書込制御部１０３は、動画データを録画できない旨を示す信号を録画制御部１０２に出力する。録画制御部１０２は、当該信号が入力されると、動画データを録画できない旨を図示しない表示部に表示する。
【００３６】
一方、動画データが記憶部１０６に書き込みできると判定された場合、データ書込制御部１０３は、当該動画データを記憶部１０６に書き込む。
【００３７】
動画データ入力部１０１から伝達される動画データは、データ書込制御部１０３から伝達されるデータ書込制御信号に従って記憶部１０６の記憶領域に書き込まれる。また、データ読出制御部１０８から伝達されるデータ読出制御信号に従って、データ読出制御信号によって特定される動画データが記憶部１０６の記憶領域から読み出される。
【００３８】
再生制御部１０７は、ユーザ入力部１００から入力される再生に関する制御信号を受け付け、受け付けた再生に関する制御信号をデータ読出制御部１０８に伝達する。なお、この再生に関する制御信号は、記憶部１０６の記憶領域に記憶された動画データのうち、再生の対象となる動画データを特定する情報を含む。
【００３９】
データ読出制御部１０８は、再生制御部１０７から再生に関する制御信号を受け付け、受け付けた再生に関する制御信号によって特定される再生対象となる動画データを、記憶部１０６の記憶領域に記憶された動画データから読み出し、読み出した動画データを動画データ出力部１０９に出力する。
【００４０】
この場合、データ読出制御部１０８は、記憶部割当情報保持部１０４に保持された記憶部割当情報及び記憶部使用情報保持部１０５に保持された記憶部使用情報を読み出し、データ読出制御部１０８は、読み出された情報を動画データに重畳させて動画データ出力部１０９に出力する。
【００４１】
動画データ出力部１０９は、データ読出制御部１０８によって記憶部１０６から読み出された動画データを、表示装置又は記憶装置等に出力する。動画データ出力部１０９の動画データの出力先としては、例えば、テレビ画面又はプロジェクタ等の表示装置、自動録画装置に接続された録画装置、自動録画装置にＵＳＢ又はＬＡＮ等を介して接続されたＨＤＤ等のストレージ、自動録画装置にＬＡＮを介して接続されたメディアサーバ等である。
【００４２】
次に、ユーザ利用情報活用部１５０について説明する。上述したように、ユーザ利用情報活用部１５０は、ユーザ利用情報収集部１５１、ユーザ利用情報蓄積部１５２、及びユーザ利用情報解析部１５３を備える。
【００４３】
ユーザ利用情報収集部１５１は、自動録画機能のユーザによる利用状況を示す情報を収集する。具体的には、ユーザ利用情報収集部１５１は、データ書込制御部１０３に接続され、自動録画機能によって動画データを録画する機能の利用状況を示す情報を収集する。また、ユーザ利用情報収集部１５１は、データ読出制御部１０８に接続され、自動録画機能によって記憶部１０６に記憶された録画データのユーザによる利用状況（再生状況）を示す情報を収集する。そして、ユーザ利用情報収集部１５１は、収集したユーザによる利用情報（以下、ユーザ利用情報という）をユーザ利用情報蓄積部１５２に蓄積する。ユーザ利用情報は、図８で詳細を説明する。
【００４４】
換言すれば、ユーザ利用情報収集部１５１は、どのような動画データがどのように録画されたのかを示す情報、及び、どのような動画データがどのように再生されたのかを示す情報を収集できる。
【００４５】
また、ユーザ利用情報収集部１５１は、データ書込制御部１０３又はデータ読出制御部１０８を介して、記憶部割当情報保持部１０４に保持された記憶部割当情報及び記憶部使用情報保持部１０５に保持された記憶部使用情報を収集する。
【００４６】
ユーザ利用情報蓄積部１５２は、ユーザ利用情報収集部１５１によって収集されたユーザ利用情報を受け付け、受け付けたユーザ利用情報を蓄積する。ユーザ利用情報蓄積部１５２によって蓄積されたユーザ利用情報は図９で詳細を説明する。
【００４７】
ユーザ利用情報解析部１５３は、ユーザ利用情報蓄積部１５２に蓄積されたユーザ利用情報を読み出し、記憶部１０６の自動録画記憶領域に記憶された動画データのユーザによる利用状況（再生状況）を解析するために、読み出したユーザ利用情報を解析する。ユーザ利用情報の解析方法は、図１１〜図１３で詳細を説明する。
【００４８】
また、ユーザ利用情報解析部１５３は、他のモジュールに接続可能である。ユーザ利用情報解析部１５３がどの解析方法を用いるかを、ユーザ利用情報解析部１５３に接続された他のモジュールからの指示されるようにしてもよい。
【００４９】
以上をまとめると、ユーザ利用情報解析部１５３は、ユーザ利用情報蓄積部１５２に蓄積されたユーザ利用情報を読み出すアクセス機能と、読み出したユーザ利用情報を解析する解析機能とを備える。
【００５０】
図２は、本発明の第１の実施形態の変形例の自動録画装置の構成を示すブロック図である。図２に示す自動録画装置の構成のうち、図１に示す自動録画装置の構成と同じ構成は、同じ符号を付与し、説明を省略する。
【００５１】
本変形例の自動録画装置は、ユーザ利用情報活用部１５０に記憶部割当自動変更部１６０が接続されたものである。
【００５２】
記憶部割当自動変更部１６０は、ユーザ利用情報活用部１５０によるユーザ利用情報の解析結果に基づいて、記憶部割当情報保持部１０４に保持される記憶割当情報を自動的に変更することによって、記憶部１０６の手動録画記憶領域に割り当てられた容量及び自動録画記憶領域に割り当てられた容量を変更する。
【００５３】
記憶部割当自動変更部１６０は、記憶部割当情報決定部１６１及び記憶部割当情報更新部１６２を備える。記憶部割当情報決定部１６１は、ユーザ利用情報活用部１５０に備わるユーザ利用情報解析部１５３と接続され、記憶部割当情報更新部１６２は、記憶部割当情報保持部１０４に接続される。
【００５４】
記憶部割当情報決定部１６１は、ユーザ利用情報解析部１５３からユーザ利用情報の解析結果を受け取り、受け取ったユーザ利用情報の解析結果に従って、記憶部１０６の手動録画記憶領域及び自動録画記憶領域に割り当てられる容量を決定する。記憶部１０６の手動録画記憶領域及び自動録画記憶領域に割り当てられる容量を決定する処理については図１１〜図１３で詳細を説明する。
【００５５】
また、記憶部割当情報決定部１６１は、記憶部１０６の手動録画記憶領域及び自動録画記憶領域に割り当てられる容量を決定する場合に参照する記憶部割当定義テーブルを保持する。なお、記憶部割当定義テーブルについては図１０で詳細を説明する。
【００５６】
記憶部割当情報更新部１６２は、記憶部割当情報決定部１６１によって決定された容量に基づいて、記憶部割当情報保持部１０４によって保持された記憶部割当情報を更新する。図１１〜図１３では、記憶部割当情報決定部１６１が決定した容量と現在の手動録画記憶領域及び自動録画記憶領域に割り当てられている容量とが一致しない場合、記憶部割当情報保持部１０４によって保持された記憶部割当情報を即座に更新する。なお、記憶部割当情報は即座に更新されなくてもよく、例えば所定周期で更新されてもよい。
【００５７】
なお、以下の説明では、図２に示す自動録画装置に基づいて説明する。
【００５８】
図３は、本発明の第１の実施形態の記憶部１０６の記憶領域に記憶される動画データのデータ構造の説明図である。
【００５９】
動画データは、ヘッダ部２００及び動画データ部２０１を含む。
【００６０】
動画データ部２０１は、再生又は録画される動画データを含む。
【００６１】
ヘッダ部２００は、動画ＩＤ２０２、録画モードフラグ２０３、動画データサイズ２０４、及び動画時間２０５を含む。
【００６２】
動画ＩＤ２０２は、動画データの一意な識別子である。録画モードフラグ２０３は、動画データが自動録画機能によって録画されたのか、手動録画機能によって録画されたのかを識別するためのフラグである。録画モードフラグ２０３が「０」である場合、手動録画機能によって録画された動画コンテンツを示し、録画モードフラグ２０３が「１」である場合、自動録画機能によって録画された動画コンテンツを示す。
【００６３】
動画データサイズ２０４は、動画データのデータ容量を示す情報を含む。動画時間２０５は、動画データの再生時間を示す情報を含む。
【００６４】
なお、図３では、ヘッダ部２００が付加された動画データを説明したが、ヘッダ部２００を動画データに付加せず、ヘッダ部２００に含まれる情報を別の情報として管理してもよい。
【００６５】
図４は、本発明の第１の実施形態の記憶部割当情報保持部１０４が保持する記憶部割当情報の説明図である。
【００６６】
記憶部割当情報は、自動録画比率３００及び手動録画比率３０１を含む。
【００６７】
自動録画比率３００には、記憶部１０６の記憶領域の容量のうち自動録画記憶領域に割り当てる容量の比率が登録される。手動録画比率３０１には、記憶部１０６の記憶領域の容量のうち手動録画記憶領域に割り当てる容量の比率が登録される。
【００６８】
なお、自動録画比率３００及び手動録画比率３０１では、自動録画記憶領域及び手動録画記憶領域に割り当てられる記憶領域の容量が全容量の比率として登録されるが、自動録画記憶領域及び手動録画記憶領域に割り当てられる記憶領域の容量がそのまま登録されてもよい。
【００６９】
また、自動録画比率３００及び手動録画比率３０１の少なくとも一方が登録されていればよい。
【００７０】
図５は、本発明の第１の実施形態の記憶部使用情報保持部１０５が保持する動画データ情報の説明図である。
【００７１】
動画データ情報は、記憶部１０６に記憶された動画データのヘッダ部２００（図３参照）を収集して生成されるものであり、記憶部１０６に記憶された動画データのヘッダ部２００に含まれる情報と同じ情報を含む。
【００７２】
具体的には、動画データ情報は、動画ＩＤ４００、録画モードフラグ４０１、動画データサイズ４０２、及び動画時間４０３を含む。
【００７３】
動画ＩＤ４００には、動画コンテンツの一意な識別子が登録される。録画モードフラグ４０１には、動画データが自動録画機能によって録画されたのか、手動録画機能によって録画されたのかを識別するためのフラグが登録される。録画モードフラグ４０１に「０」が登録されている場合、手動録画機能によって録画された動画コンテンツを示し、録画モードフラグ４０１に「１」が登録されている場合、自動録画機能によって録画された動画コンテンツを示す。
【００７４】
動画データサイズ４０２には、動画データのデータ容量を示す情報が登録される。動画時間４０５には、動画データの再生時間を示す情報が登録される。
【００７５】
図６は、本発明の第１の実施形態の記憶部使用情報保持部１０５が保持する記憶使用情報の説明図である。
【００７６】
記憶部使用情報は、自動録画記憶領域及び手動録画記憶領域の使用状況等を管理するためのものである。
【００７７】
記憶部使用情報は、全体容量５００、使用容量５０１、及び空き容量５０２を含む。
【００７８】
全体容量５００には、自動録画記憶領域及び手動録画記憶領域に割り当てられた記憶領域の全容量を示す情報が登録される。使用容量５０１には、自動録画記憶領域及び手動録画記憶領域のうち、使用されている記憶領域の容量を示す情報が登録される。空き容量５０２には、自動録画記憶領域及び手動録画記憶領域のうち未使用の記憶領域の容量を示す情報が登録される。
【００７９】
図７は、本発明の第１の実施形態の録画処理のフローチャートである。
【００８０】
まず、データ書込制御部１０３が録画制御部１０２から録画に関する制御信号を受け付ける（７００）。データ書込制御部１０３は、受け付けた録画に関する制御信号が自動録画に関する制御信号であるか、手動録画に関する制御信号であるかを特定する。受け付けた録画に関する制御信号が自動録画に関する制御信号である場合、データ書込制御部１０３は、図６に示す記憶使用情報を参照し、自動録画記憶領域の空き容量５０２に登録された容量を示す情報（空き容量）を確認し、受け付けた録画に関する制御信号が手動録画に関する制御信号である場合、データ書込制御部１０３は、図６に示す記憶使用情報を参照し、手動録画記憶領域の空き容量を確認する（７０１）。
【００８１】
次に、データ書込制御部１０３は、ステップ７０１の処理で確認した空き容量が、録画に関する制御信号に含まれる録画対象の動画データの容量よりも大きいか否かを判定する（７０２）。
【００８２】
ステップ７０１の処理で確認した空き容量が、録画に関する制御信号に含まれる録画対象の動画データの容量よりも大きいとステップ７０１の処理で判定された場合、データ書込制御部１０３は、録画対象の動画データを録画するための空き容量が十分であると判定し、録画対象の動画データの録画を開始する（７０３）。
【００８３】
そして、録画対象の動画データの録画が終了すると（７０４）、データ書込制御部１０３は、記憶部使用情報保持部１０５に保持される動画データ情報及び記憶部使用情報を更新し（７０５）、録画処理を終了する。
【００８４】
具体的には、データ書込制御部１０３は、録画が終了した動画データのヘッダ部２００に含まれる情報を動画データ情報の新たなエントリとして追加する。また、データ書込制御部１０３は、記憶部使用情報の、録画が終了した動画データを記憶した記憶領域の使用容量５０１及び空き容量５０２に登録された情報を更新する。
【００８５】
一方、ステップ７０１の処理で確認した空き容量が、録画に関する制御信号に含まれる録画対象の動画データの容量よりも小さいとステップ７０１の処理で判定された場合、データ書込制御部１０３は、録画対象の動画データを録画するための空き容量が十分でないと判定し、当該録画をキャンセルする旨を録画制御部１０２に通知し（７０６）、録画処理を終了する。
【００８６】
なお、ステップ７０６の処理で、録画に関する制御信号が自動録画に関する制御信号である場合、データ書込制御部１０３は、自動録画記憶領域に記憶された動画データのうち最古の動画データを消去して、ステップ７０３の処理に処理を移行してもよい。
【００８７】
図８は、本発明の第１の実施形態のユーザ利用情報収集部１５１によって収集されるユーザ利用情報のデータ構造の説明図である。
【００８８】
ユーザ利用情報は、記憶部１０６に記憶された動画データを再生する場合に、データ読出制御部１０８が読み出した再生対象の動画データに紐付けられる情報である。
【００８９】
ユーザ利用情報は、ヘッダ部２００及びデータ部２５０を含む。ヘッダ部２００は、図３に示す動画データのヘッダ部２００と同じであり、動画ＩＤ２０２、録画モードフラグ２０３、動画データサイズ２０４、及び動画時間２０５を含む。データ部２５０は、ユーザ再生時間２５１及びユーザ再生回数２５２を含む。
【００９０】
ユーザ再生時間２５１は、動画ＩＤ２０２によって識別される動画データをユーザが再生した時間を示す情報を含む。ユーザ再生回数２５２は、動画ＩＤ２０２によって識別される動画データをユーザが再生した回数を示す情報を含む。
【００９１】
なお、図８では、ヘッダ部２００が付加されたデータ部２５０を説明したが、ヘッダ部２００をデータ部２５０に付加せず、ヘッダ部２００に含まれる情報を別の情報として管理してもよい。
【００９２】
図９は、本発明の第１の実施形態のユーザ利用情報蓄積部１５２に蓄積されたユーザ利用情報テーブルの説明図である。
【００９３】
ユーザ利用情報テーブルは、図８に示すユーザ利用情報を蓄積したテーブルであり、図８に示すユーザ利用情報に含まれる動画ＩＤ、録画モードフラグ、動画データサイズ、動画時間、ユーザ再生時間、及びユーザ再生回数を登録する。
【００９４】
図１０は、本発明の第１の実施形態の記憶部割当情報決定部１６１が保持する記憶部割当定義テーブルのデータ構造の一例を示す図である。
【００９５】
記憶部割当定義テーブルは、再生率１０００及び記憶部割当情報１００１を含む。
【００９６】
再生率１０００には、自動録画記憶領域に記憶された動画データの再生率を示す情報が予め登録される。自動録画記憶領域に記憶された動画データの再生率は、ユーザ利用情報解析部１５３によって算出されるが、ユーザ利用情報解析部１５３が図１１〜図１３のどの解析方法を用いるかによって異なる値が算出される。
【００９７】
記憶部割当情報１００１には、記憶部１０６の記憶領域の全容量のうち自動録画記憶領域に割り当てられるよう容量の比率、及び、記憶部１０６の記憶領域の全容量のうち手動録画記憶領域に割り当てられるよう容量の比率が登録される。
【００９８】
なお、記憶部割当定義テーブルでは、再生率が高くなるほど、自動録画記憶領域に割り当てられる容量が大きくなるように設定されている。
【００９９】
記憶部割当情報決定部１６１は、ユーザ利用情報解析部１５３によって算出された再生率を取得し、記憶部割当定義テーブルに登録されたエントリのうち、再生率１０００が取得した再生率と一致するエントリを選択し、選択したエントリの記憶部割当情報１００１に登録された比率によって、自動録画記憶領域及び手動録画記憶領域に割り当てられる容量を決定する。なお、ユーザ利用情報解析部１５３の再生率の算出方法は、図１１〜図１３で詳細を説明する。
【０１００】
図１１は、本発明の第１の実施形態の割当変更処理のフローチャートである。
【０１０１】
まず、ユーザ利用情報解析部１５３は、ユーザ利用情報蓄積部１５２のユーザ利用情報テーブルを参照し、自動録画記憶領域に記憶された動画データの数（Ｘ）を取得する（１１０１）。具体的には、ユーザ利用情報解析部１５３は、図９に示すユーザ利用情報テーブルを参照し、録画モードフラグが「１」であるエントリの数をＸとして取得する。
【０１０２】
次に、ユーザ利用情報解析部１５３は、自動録画記憶領域に記憶された動画データのうち、すでに再生された動画データの数（Ｙ）を取得する（１１０２）。具体的には、ユーザ利用情報解析部１５３は、ユーザ利用情報テーブルを参照し、録画モードフラグが「１」で、かつユーザ再生回数が「１」以上のエントリの数をＹとして取得する。
【０１０３】
次に、ユーザ利用情報解析部１５３は、自動録画記憶領域に記憶された動画データの再生率を算出する（１１０３）。具体的には、ユーザ利用情報解析部１５３は、ステップ１１０２の処理で取得したＹをステップ１１０１の処理で取得したＸで除算し、除算した値に１００を乗算することによって再生率を算出する。
【０１０４】
次に、記憶部割当情報決定部１６１は、ユーザ利用情報解析部１５３がステップ１１０３の処理で算出した再生率を取得し、図１０に示す記憶部割当定義テーブルを参照し、取得した再生率に対応する記憶部割当情報を取得する（１１０４）。具体的には、記憶部割当情報決定部１６１は、図１０に示す記憶部割当定義テーブルに登録されたエントリのうち、再生率１０００に登録された再生率が取得した再生率と一致するエントリを選択し、選択したエントリの記憶部割当情報１００１に登録された割当比率を取得する。
【０１０５】
なお、図１０で説明したように、記憶部割当定義テーブルでは、再生率が大きいほど、自動録画記憶領域へ割り当てられる容量が大きくなるように設定されているので、再生率が大きいほど、ステップ１１０４の処理で取得される割当比率の自動録画記憶領域へ割当比率は大きなる。
【０１０６】
そして、記憶部割当情報更新部１６２は、記憶部割当情報決定部１６１がステップ１１０４の処理で取得した割当比率と、記憶部割当情報保持部１０４で保持される記憶部割当情報に登録された割当比率とが一致するか否かを判定する（１１０５）。
【０１０７】
記憶部割当情報決定部１６１がステップ１１０４の処理で取得した割当比率と、記憶部割当情報保持部１０４で保持される記憶部割当情報に登録された割当比率とが一致すると、ステップ１１０５の処理で判定された場合、割当比率を変更する必要がないので、割当変更処理を終了する。
【０１０８】
記憶部割当情報決定部１６１がステップ１１０４の処理で取得した割当比率と、記憶部割当情報保持部１０４で保持される記憶部割当情報に登録された割当比率とが一致しないと、ステップ１１０５の処理で判定された場合、記憶部割当情報更新部１６２は、記憶部割当情報保持部１０４で保持される記憶部割当情報に登録された割当比率を、記憶部割当情報決定部１６１がステップ１１０４の処理で取得した割当比率に更新し、割当変更処理を終了する。
【０１０９】
なお、記憶部割当情報保持部１０４で保持される記憶部割当情報が更新されると、更新された割当比率に基づいて、自動録画記憶領域及び手動録画記憶領域に割り当てられる容量が変更される。
【０１１０】
以上によって、自動録画装置は、自動録画記憶領域に記憶された動画データの再生の有無を示す情報に基づいて、自動録画記憶領域に記憶された動画データのうち再生された動画データの数が多いほど、自動録画記憶領域に割り当てられる容量が大きくなるように、自動録画記憶領域及び手動録画記憶領域に割り当てられる容量を変更できる。
【０１１１】
図１２は、本発明の第１の実施形態の変形例の割当変更処理のフローチャートである。
【０１１２】
なお、図１２に示す割当変更処理のうち、図１１に示す割当変更処理と同じ処理は、図１１と同じ符号を付与し、説明を省略する。
【０１１３】
ステップ１１０１の処理で自動録画記憶領域に記憶された動画データの数を取得した後、ユーザ利用情報解析部１５３は、図９に示すユーザ利用情報テーブルを参照し、自動録画記憶領域に記憶された動画データの再生回数の合計（Ｙ）を取得する（１２０１）。
【０１１４】
具体的には、ユーザ利用情報解析部１５３は、図９に示すユーザ利用情報テーブルを参照し、録画モードフラグが「１」のユーザ再生回数の合計を算出する。
【０１１５】
なお、以降の処理は、図１１に示すステップ１１０３〜１１０６の処理と同じであるので、説明を省略する。
【０１１６】
これによって、自動録画装置は、自動録画記憶領域に記憶された動画データの再生回数が多いほど、自動録画記憶領域に割り当てられる容量が大きくなるように、自動録画記憶領域及び手動録画記憶領域に割り当てられる容量を変更できる。
【０１１７】
図１３は、本発明の第１の実施形態の変形例の割当変更処理のフローチャートである。
【０１１８】
なお、図１３に示す割当変更処理のうち、図１１に示す割当変更処理と同じ処理は、図１１と同じ符号を付与し、説明を省略する。
【０１１９】
まず、ユーザ利用情報解析部１５３は、図９に示すユーザ利用情報テーブルを参照し、自動録画記憶領域に記憶された動画データの総動画時間（Ｘ）を算出する（１３０１）。具体的には、ユーザ利用情報解析部１５３は、図９に示すユーザ利用情報テーブルを参照し、録画モードフラグが「１」であるすべてのエントリの動画時間の合計を算出する。
【０１２０】
次に、ユーザ利用情報解析部１５３は、図９に示すユーザ利用情報テーブルを参照し、自動録画記憶領域に記憶された動画データのユーザ再生時間の合計（Ｙ）を取得する。具体的には、ユーザ利用情報解析部１５３は、図９に示すユーザ利用情報テーブルを参照し、録画モードフラグが「１」であるすべてのエントリのユーザ再生時間の合計を算出する。
【０１２１】
なお、以降の処理は、図１１に示すステップ１１０３〜１１０６の処理と同じであるので、説明を省略する。
【０１２２】
以上によって、自動録画装置は、自動録画記憶領域に記憶された動画データの再生時間が長いほど、自動録画記憶領域に割り当てられる容量が大きくなるように、自動録画記憶領域及び手動録画記憶領域に割り当てられる容量を変更できる。
【０１２３】
さらに、詳細には、自動録画記憶領域に記憶された動画データの総動画時間と自動録画記憶領域に記憶された動画データの総再生時間との比率が大きいほど、自動録画記憶領域に割り当てられる容量が大きくなるように、自動録画記憶領域及び手動録画記憶領域に割り当てられる容量を変更できる。
【０１２４】
本実施形態では、自動録画装置は、自動録画記憶領域に記憶された動画データのユーザによる利用状況（再生有無、再生回数、又は再生時間）を解析し、解析した利用状況に基づいて、自動録画記憶領域及び手動録画記憶領域に割り当てられる容量を変更する。このため、自動録画記憶領域を頻繁に利用する場合には自動録画記憶領域に割り当てる容量を増加させ、自動録画記憶領域を利用しない場合には自動録画記憶領域に割り当てる容量を減少させて、手動録画記憶領域に割り当てる容量を増加させることができる。
【０１２５】
このため、本実施形態では、ユーザの手を煩わせることなく、記憶領域を最大限有効に活用する自動録画装置を提供できる。
【０１２６】
（第２の実施形態）
本発明の第２の実施形態について図１４を用いて説明する。
【０１２７】
本実施形態は、複数の自動録画装置がそれぞれ通信可能に接続され、各自動録画装置に備わるユーザ利用情報蓄積部１５２に蓄積されたユーザ利用情報テーブルを複数の自動録画装置が交換して、ユーザ利用情報テーブルを統合する。
【０１２８】
図１４は、本発明の第２の実施形態の自動録画装置の構成を示すブロック図である。
【０１２９】
図１４に示す自動録画装置の構成のうち図２に示す自動録画装置と同じ構成は、同じ符号を付与し、説明を省略する。また、図１４に示す自動録画装置は、ユーザ利用情報活用部１５０しか図示していないが、ユーザ入力部１００、動画データ入力部１０１、録画制御部１０２、データ書込制御部１０３、記憶部割当情報保持部１０４、記憶部使用情報保持部１０５、記憶部１０６、再生制御部１０７、データ読出制御部１０８、動画データ出力部１０９、及び記憶部割当自動変更部１６０を備えるものとする。
【０１３０】
ユーザ利用情報活用部１５０は、ユーザ利用情報収集部１５１、ユーザ利用情報蓄積部１５２、ユーザ利用情報解析部１５３、及びユーザ利用情報交換部１５４を備える。
【０１３１】
ユーザ利用情報交換部１５４は、他の自動録画装置に備わるユーザ利用情報交換部１５４と、通信部１３０を介して接続されており、他の自動録画装置に備わるユーザ利用情報蓄積部１５２に蓄積されたユーザ利用情報テーブルを交換する。
【０１３２】
図１４では、第１自動録画装置と第２自動録画装置とは、バス型接続されているが、これに限られず、一対一で接続されてもよい。
【０１３３】
また、ユーザ利用情報蓄積部１５２には、自身のユーザ利用情報テーブルとユーザ利用情報交換部１５４が取得した他の自動録画装置のユーザ利用情報テーブルとを統合したユーザ利用情報テーブルが保持される。
【０１３４】
以上によって、相互に接続された複数の自動録画装置において、当該複数の自動録画装置のユーザ利用情報テーブルを統合でき、統合したユーザ利用情報テーブルを参照し、割当変更処理が実行される。このため、複数の自動録画装置に備わる自動録画記憶領域に記憶された動画データの複数の自動録画装置の利用状況（再生有無、再生回数、又は再生時間）を解析し、解析した利用状況に基づいて、複数の自動録画装置の自動録画記憶領域及び手動録画記憶領域に割り当てられる容量を変更する。この場合、複数の自動録画装置の複数の自動録画装置の自動録画記憶領域及び手動録画記憶領域に割り当てられる容量の比率は同じになる。
【０１３５】
したがって、例えば、ハードディスク付きレコーダである自動録画装置と、録画機能付きテレビである自動録画装置とが接続されている場合、両方の自動録画装置の動画データの利用状況に基づいて、両方の自動録画装置及び手動録画記憶領域の自動録画記憶領域及び手動録画記憶領域に割り当てられる容量を決定するので、ユーザの利用状況に最適な容量を自動録画記憶領域及び手動録画記憶領域に割り当てることができる。
【０１３６】
（第３の実施形態）
第３の実施形態について図１５及び図１６を用いて説明する。
【０１３７】
本実施形態は、ユーザ利用情報解析部１５３が解析したユーザ利用情報を自動録画記憶領域及び手動録画記憶領域に割り当てられる容量の決定以外の目的に使用する実施形態であり、ユーザ利用情報に基づいてダイジェストを作成する実施形態である。
【０１３８】
近年、自動録画機能を備える自動録画装置の増加、並びに、記憶媒体の大容量化及び低価格化に伴って、自動録画装置には大量の動画データが録画可能となった。しかし、ユーザは、録画した大量の動画データを視聴するための時間を確保できないという課題が生じている。
【０１３９】
そこで、録画した動画データから重要度の高いシーンを抽出して、ダイジェストデータを作成する再生装置が知られている（例えば、特開２００６−１９００１９号公報）。
【０１４０】
しかし、上述した再生装置では、録画した動画データの利用状況に基づいてダイジェストが生成されないため、ユーザがすでに視聴したシーンもダイジェストデータに含まれてしまい、ユーザが効率よくダイジェストを視聴することはできなかった。
【０１４１】
このため、本実施形態では、ユーザが効率よくダイジェストを視聴できる自動録画装置を提供することを目的とする。
【０１４２】
図１５は、本発明の第３の実施形態の自動録画装置の構成を示すブロック図である。
【０１４３】
図１５に示す自動録画装置の構成のうち図２に示す自動録画装置と同じ構成は、同じ符号を付与し、説明を省略する。
【０１４４】
自動録画装置では、ユーザ利用情報活用部１５０にダイジェストエクスポート部１７０が接続されている。
【０１４５】
ダイジェストエクスポート部１７０は、ユーザ利用情報に基づいてダイジェストデータを作成し、作成したダイジェストデータを外部記憶媒体１７３にエクスポートする。
【０１４６】
ダイジェストエクスポート部１７０は、ダイジェスト作成部１７１、データエクスポート部１７２、及び外部記憶媒体１７３を備える。
【０１４７】
ダイジェスト作成部１７１は、記憶部１０６に記憶された動画データにデータ読出制御部１０８を介してアクセスし、再生時間が当該動画データの再生時間よりも短いダイジェストデータを作成する。
【０１４８】
また、ダイジェスト作成部１７１は、ユーザ利用情報解析部１５３に接続され、ユーザ利用情報蓄積部１５２に保持されるユーザ利用情報テーブルを取得する。
【０１４９】
データエクスポート部１７２は、ダイジェスト作成部１７１によって作成されたダイジェストデータを外部記憶媒体１７３に書き込む。外部記憶媒体１７３は、例えば、可搬型の記憶媒体であり、ＳＤメモリカード、及びｉＤＶＲカセット等である。
【０１５０】
次に、ダイジェスト作成部１７１のダイジェストデータ作成処理について図１６を用いて説明する。
【０１５１】
図１６は、本発明の第３の実施形態のダイジェストデータ作成処理のフローチャートである。
【０１５２】
ユーザ入力部１００は、ユーザからのダイジェスト作成指示を受け付けた場合、ダイジェスト作成指示をダイジェスト作成部１７１に伝達する。なお、ダイジェスト作成指示は、ダイジェストデータを作成する動画データの動画ＩＤを含む。
【０１５３】
ダイジェスト作成部１７１は、ダイジェスト作成指示を受け付ける（１６０１）。次に、ダイジェスト作成部１７１は、ダイジェスト作成指示に含まれる動画ＩＤによって識別される動画データを記憶部１０６の記憶領域に記憶された動画データから取得する（１６０２）。
【０１５４】
そして、ダイジェスト作成部１７１は、図９に示すユーザ利用情報テーブルを参照し、ダイジェスト作成指示に含まれる動画ＩＤと一致するエントリのユーザ再生時間を取得する（１６０３）。
【０１５５】
次に、ダイジェスト作成部１７１は、ステップ１６０２の処理で取得した動画データのうち、取得したユーザ再生時間以降の動画データに基づいて、ダイジェストデータを作成する（１６０４）。つまり、ダイジェスト作成部１７１は、ステップ１６０２の処理で取得した動画データからすでにユーザが再生したデータを削除して、未だ再生されていない動画データからダイジェストデータを作成する。
【０１５６】
次に、ダイジェスト作成部１７１は、ステップ１６０４の処理で作成されたダイジェストデータをデータエクスポート部１７２に出力し（１６０５）、ダイジェスト作成処理を終了する。
【０１５７】
これによって、ユーザがすでに再生したデータを削除した動画データからダイジェストが作成されるので、ユーザは効率よくダイジェストを視聴できる。
【０１５８】
以上、本発明を実施形態に基づいて具体的に説明したが、本発明は実施形態に限定されるものではなく、その要旨を逸脱しない範囲で種々変更可能である。
【符号の説明】
【０１５９】
１００    ユーザ入力部
１０１    動画データ入力部
１０２    録画制御部
１０３    データ書込制御部
１０４    記憶部割当情報保持部
１０５    記憶部使用情報保持部
１０６    記憶部
１０７    再生制御部
１０８    データ読出制御部
１０９    動画データ出力部
１５０    ユーザ利用情報活用部
１５１    ユーザ利用情報収集部
１５２    ユーザ利用情報蓄積部
１５３    ユーザ利用情報解析部
１５４    ユーザ利用情報交換部
１６０    記憶部割当自動変更部
１６１    記憶部割当情報決定部
１６２    記憶部割当情報更新部
【図１】
2012085002.tif 000003
【図２】
2012085002.tif 000004
【図３】
2012085002.tif 000005
【図４】
2012085002.tif 000006
【図５】
2012085002.tif 000007
【図６】
2012085002.tif 000008
【図７】
2012085002.tif 000009
【図８】
2012085002.tif 000010
【図９】
2012085002.tif 000011
【図１０】
2012085002.tif 000012
【図１１】
2012085002.tif 000013
【図１２】
2012085002.tif 000014
【図１３】
2012085002.tif 000015
【図１４】
2012085002.tif 000016
【図１５】
2012085002.tif 000017
【図１６】
2012085002.tif 000018